(57)【要約】      （修正有）【課題】立つことが出来ない要介護者を立たせることと、移乗と移動が楽に出来る介護用移乗器を提供する。【解決手段】昇降ハンドル２の一方に胸受け部１を設け、ハンドルの途中を支軸に乗せ、介助者がハンドルを下げることにより、胸受け部に胸や腹部を当てがった要介護者は、梃子の原理で持ち上げられ、立ち上がることが出来、ベッドなどから車椅子や簡易トイレなどへの移乗が出来、立たせた状態で下着やオムツの上げ下ろしが出来しかも坐板を設置して腰掛の状態で簡易車椅子として移動が出来るので介助者の負担が無く楽に介助が出来る介護用移乗器である。【選択図】図６
2008073494.tif 000002
【特許請求の範囲】
【請求項１】
胸受け部（１）に昇降ハンドル（２）を設け、昇降ハンドル（２）の途中を支軸（１２）に乗せ、梃の原理で介助者が昇降ハンドルを下げることにより、胸受け部に胸や腹部を当てた要介護者を持ち上げ、立ち上げられて、ベッドから車椅子やトイレなどに移乗する介護用移乗器。
【請求項２】
左右の前後の支柱（７）にスライドする坐板台（１７）を設け、左右の坐板台（１７）に坐板（１９）を橋渡しをして乗せ、そこに要介護者を座らせ、簡易車椅子として他へ移動が出来る請求項１の介護用移乗器。
【発明の詳細な説明】
【技術分野】
【０００１】  本発明は（イ）胸受け部（１）に昇降ハンドル（２）を設け、昇降ハンドル（２）の途中を支軸（１２）に乗せ、梃の原理で介助者が昇降ハンドル（２）を下げて、胸受け部（１）に胸や腹部を当てがった要介護者を持ち上げ、立ち上げて、ベッド（２０）などから車椅子やトイレなどに移乗する。
（ロ）左右、前後で計４本の支柱（７）に、前後にスライドする坐板台（１７）を設け左右の坐板台（１７）に坐板（１９）を橋渡しをして乗せ、そこに要介護者を座らせる事により、簡易車椅子として他へ移動が出来る。
本発明は以上のように、要介護者を立ち上げることと、移乗を目的とした介護用移乗器に関するものである。
【背景技術】
【０００２】  従来、自力で立ち上がるのを補助する器具や、座らせたまま要介護者を滑らせるように移乗する器具はあったが、全く立つことが出来ない要介護者を立ち上がらせる器具はなかった。
【発明の開示】
【発明が解決しようとする課題】
【０００３】  そのため、次のような問題点があった。
（イ）自力で立てない要介護者を介助者によってベッドから車椅子などに移乗するには、一旦立ち上がらせることが不可欠であり、この行為が介助者には相当の力が必要で大きな負担となっている。
（ロ）立ち上がり補助の椅子は、自力で立つことがある程度可能な人の補助にはなるが、自力で全く立てない人には適しない。
（ハ）お尻を乗せて滑らすように移乗する器具はあるが、これは車椅子や簡易トイレなどに移乗する場合、例えばベッドと車椅子間に橋渡しをしてその上に要介護者を乗せて滑らすように移乗する仕組なので、まずこれに乗せる労力が必要な事と、高低差や距離の差があり、これに合わせるのに困難を生じることと、移乗中の落下、転落の危険性があり、介助者の体力的にも精神的にも負担が大きく、更には慎重に行わなければならないため、ある程度の時間を必要としていた。
（ニ）老老介護が現実となっている今日、非力の人が介助しなければならないことが多い時代であり、介助者の負担は並大抵ではないのは当然だが、例え健康で体力のある人でも腰を痛めて自宅介助が出来なくなるケースが多くあり、施設の職員にあっても職業病的に腰痛が起こることが多い。
本発明は、これらの問題点を解決するためになされたものである。
【課題を解決するための手段】
【０００４】  （イ）踏板（１５）とその下にキャスター（１６）を設けた台座（１４）に左右に２本ずつの支柱（７）を設け、左右の支柱（７）の上部に前後に走る支軸台（１１）を設け、左右の支軸台（１１）の上に橋渡しをして支軸（１２）を設ける。
（ロ）胸受け部（１）に連結して昇降ハンドル（２）を設け、その途中、胸当て部近位に支軸（１２）を通す左右の支軸通し孔（５）を設ける。
（ハ）支軸（１２）を左右の支軸通し孔（５）に挿入し、昇降ハンドル（２）の回転を可能にする。
（ニ）左右の支軸台（１１）を延長して手押しハンドルを設ける。
（ホ）前方の支柱（７）のやや上部に左右に渡した昇降ストッパー軸（９）を設け、これに昇降ストッパー（１０）を通し回転可能にする。
（ヘ）昇降ハンドル（２）の支軸（１２）近くに左右に渡した昇降ストッパー掛け（４）を設ける。
（ト）左右の支軸（１２）のやや上方部に坐板台通し孔（８）を設け、前後に坐板台（１７）を通し、坐板台（１７）の両端に坐板（１９）の脱落の防止とスライドを制限するスライド止め（１８）を設ける。
（チ）後方にスライドさせた坐板台（１７）の左右に、アダプターとして設けた坐板（１９）を溝（１９ａ）に合わせて乗せることが出来る。
（リ）本発明は以上の構成でこれを使用するときは図６、図７に示す通り、腰掛位の要介護者の足を踏板（１５）に乗せ、昇降ハンドル（２）で高さの調節をして、胸受け部（１）を要介護者の胸、腹部に当てがい、安全のため、握り部（３）をつかんでもらい、梃子の原理で昇降ハンドル（２）を下げることにより、要介護者は持ち上げられ、立たせることが出来る。
（ヌ）要介護者が立ち上がった時に昇降ストッパー（１０）を昇降ストッパー掛（４）に引っ掛けてロックする事で、立ち上がった状態を保つことが出来る。
（ル）立ち上がった要介護者を、左右の手押しハンドル（６）で操作をし、目的の車椅子や、簡易トイレなどへ転換、移動して昇降ストッパー（１０）をはずして昇降ハンドル（２）を上げ、要介護者を下ろして移乗する。
（オ）施設内などのトイレのように、比較的距離のある場合には、安全に移動できるように図７、図８、図９に示す通り、左右の坐板台（１７）を後方にスライドさせ、その上にアダプターである腰掛用の坐板（１９）を左右に橋渡しをして設置し、昇降ストッパー（１０）ロックを解除し、昇降ハンドル（２）を上げ、立っていた要介護者のお尻を下ろし腰掛けさせ、手押しハンドル（６）で方向を替え、キャスターが設けられているので簡易車椅子として楽に移動する事が出来る。
（ワ）トイレで用をたす際に必ずしなければならないのは、下着やオムツを脱がせることであるが、これをするには、通常立たせた要介護者を介助者一人が支え、もう一人の介助者が下着やオムツを脱がすという、どうしても二人の手が必要であるが、本発明はトイレで用をたす前後に、昇降ハンドル（２）を下げた位置で昇降ストッパー（１０）を昇降ストッパー掛け（４）に引っ掛けてロックし、要介護者を立たせた状態に保ち、１人の介助者で楽に短時間で下着やオムツを替えることが出来るので余裕を持って介助が出来る仕組みである。
以上を特徴とする介護用移乗器である。
【発明の効果】
【０００５】（イ）図６、図７に示すように腰掛位の要介護者に本発明の胸受け部（１）を当てがい、介助者が昇降ハンドル（２）を押し下げることにより梃子の原理で要介護者は容易に持ち上げられ、立ち上がることが出来る。
（ロ）図７に示すように、昇降ストッパー（１０）をロックすることで、立ち上がった要介護者をそのままの状態を維持できるので、手押しハンドル（６）で操作し、車椅子や、簡易トイレに移動が出来る。
（ハ）図７が示すように、昇降ストッパー（１０）をロックすることで、立ち上がった要介護者をそのままの状態を維持して、介助者は手を離す事が出来るのでトイレ使用の前後に、下着やオムツの上げ下ろしが容易に出来る。
（ニ）施設内等、比較的距離のある場合には安全に移動できるように、図７、図８、図９に示す通り、左右の坐板台（１７）を後方にスライドさせた上に、アダプターである腰掛用の坐板（１９）を左右に橋渡しをして乗せ、昇降ハンドル（２）を上げ、立っていた要介護者のお尻を下ろして腰掛けることが出来るため、簡易車椅子として安定した状態で移動する事が出来る。
（ホ）以上述べた通り、梃子の原理であるので非力な人でも容易に要介護者を立ち上がらすことが出来、また立った状態を維持することも出来、他へ移乗と移動が出来るため、老老介護の時代と言われている昨今、介護は切実な問題であり、自宅介護は勿論ながら、施設などのプロも腰を痛めて介助ができなくなるケースも多々あるのが現実であり、介助者の負担の軽減に大きく貢献する。
【発明を実施するための最良の形態】
【０００６】    以下、本発明の実施形態について説明する。
（イ）踏板（１５）とその下にキャスター（１６）を設けた台座（１４）に左右に２本ずつの支柱（７）を設け、左右の支柱（７）の上部に前後に走る支軸台（１１）を設け、左右の支軸台（１１）の上に橋渡しをして支軸（１２）を設ける。
（ロ）胸受け部（１）に連結して昇降ハンドル（２）を設け、その途中、胸当て部近位に支軸（１２）を通す左右の支軸通し孔（５）を設ける。
（ハ）支軸（１２）を左右の支軸通し孔（５）に挿入し、昇降ハンドル（２）の回転を可能にする。
（ニ）左右の支軸台（１１）を延長して手押しハンドルを設ける。
（ホ）前方の支柱（７）のやや上部に左右に渡した昇降ストッパー軸（９）を設け、これに昇降ストッパー（１０）を通し回転可能にする。
（ヘ）昇降ハンドル（２）の支軸（１２）近くに左右に渡した昇降ストッパー掛け（４）を設ける。
（ト）左右の支軸（１２）のやや上方部に坐板台通し孔（８）を設け、前後に坐板台（１７）を通し、坐板台（１７）の両端に坐板（１９）の脱落の防止とスライドを制限するスライド止め（１８）を設ける。
（チ）後方にスライドさせた坐板台（１７）の左右に、アダプターとして設けた坐板（１９）を溝（１９ａ）に合わせて乗せることが出来る。
（リ）本発明は以上の構成でこれを使用するときは図６、図７に示す通り、腰掛位の要介護者の足を踏板（１５）に乗せ、昇降ハンドル（２）で高さの調節をして、胸受け部（１）を要介護者の胸、腹部に当てがい、安全のため、握り部（３）をつかんでもらい、梃子の原理で昇降ハンドル（２）を下げることにより、要介護者は持ち上げられ、立たせることが出来る。
（ヌ）要介護者が立ち上がった時に昇降ストッパー（１０）を昇降ストッパー掛（４）に引っ掛けてロックする事で、立ち上がった状態を保つことが出来る。
（ル）立ち上がった要介護者を、左右の手押しハンドル（６）で操作をし、目的の車椅子や、簡易トイレなどへ転換、移動して昇降ストッパー（１０）をはずして昇降ハンドル（２）を上げ、要介護者を下ろして移乗する。
（オ）施設内などのトイレのように、比較的距離のある場合には、安全に移動できるように図７、図８、図９に示す通り、左右の坐板台（１７）を後方にスライドさせ、その上にアダプターである腰掛用の坐板（１９）を左右に橋渡しをして設置し、昇降ストッパー（１０）ロックを解除し、昇降ハンドル（２）を上げ、立っていた要介護者のお尻を下ろし腰掛けさせ、手押しハンドル（６）で方向を替え、キャスターが設けられているので簡易車椅子として楽に移動する事が出来る。
（ワ）トイレで用をたす際に必ずしなければならないのは、下着やオムツを脱がせることであるが、これをするには、通常立たせた要介護者を介助者一人が支え、もう一人の介助者が下着やオムツを脱がすという、どうしても二人の手が必要であるが、本発明はトイレで用をたす前後に、昇降ハンドル（２）を下げた位置で昇降ストッパー（１０）を昇降ストッパー掛け（４）に引っ掛けてロックし、要介護者を立たせた状態に保ち、１人の介助者で楽に短時間で下着やオムツを替えることが出来るので余裕を持って介助が出来る仕組みである。
【図面の簡単な説明】
【０００７】
【図１】本発明の斜視図である
【図２】本発明の正面図である。
【図３】本発明の背面図である。
【図４】右側面図である。
【図５】右側断面図である。
【図６】使用例図１である。
【図７】使用例図２である。
【図８】使用例図３である。
【図９】本発明のアダプターとなる坐板の斜視図である。
【符号の説明】
１  胸受け部
１ａ  カバー
１ｂ  スポンヂ
１ｃ  胸受け板
２  昇降ハンドル
３  握り部
４  昇降ストッパー掛け
５  支軸通し孔
６  手押しハンドル
７  支柱
８  坐板台通し孔
９  昇降ストッパー軸
１０  昇降ストッパー
１１  支軸台
１２  支軸
１３  留め部
１４  台座
１５  踏板
１６  キャスター
１７  坐板台
１８  スライド止め
１９  坐板
１９ａ  溝
２０  ベッド
【図１】
2008073494.tif 000003
【図２】
2008073494.tif 000004
【図３】
2008073494.tif 000005
【図４】
2008073494.tif 000006
【図５】
2008073494.tif 000007
【図６】
2008073494.tif 000008
【図７】
2008073494.tif 000009
【図８】
2008073494.tif 000010
【図９】
2008073494.tif 000011